(57)【要約】【課題】ブレーキペダルの位置を認識させるブレーキマーカーフットレストを備えたフロアマット、およびブレーキマーカーフットレストを提供する。【解決手段】アクセルペダル１とブレーキペダル２とを有する自動車のフロア４に設置されるフロアマットであって、自動車の前後方向に関し、ブレーキペダル２の後方に、運転者の右足Ｆと触れることでブレーキペダル位置の指標となるとともに、右足Ｆの踵Ｆ１を載せた状態で足先部分Ｆ２でのブレーキ操作を可能とするブレーキマーカーフットレスト２０が設けられている。【選択図】図１
2020055466.tif 000002
【特許請求の範囲】
【請求項１】
アクセルペダル（１）とブレーキペダル（２）とを有する自動車のフロア（４）に設置されるフロアマットであって、
自動車の前後方向に関し、前記ブレーキペダル（２）の後方に、運転者の右足（Ｆ）と触れることでブレーキペダル位置の指標となるとともに、右足（Ｆ）の踵（Ｆ１）を載せた状態で足先部分（Ｆ２）でのブレーキ操作を可能とするブレーキマーカーフットレスト（２０）が設けられていることを特徴とするブレーキマーカーフットレスト付きフロアマット。
【請求項２】
請求項１において、
左右方向に関し、前記ブレーキマーカーフットレスト（２０）の幅（Ｗ１）は、前記ブレーキペダル（２）の幅（Ｗ２）よりも狭いことを特徴とするブレーキマーカーフットレスト付きフロアマットおよびブレーキマーカーフットレスト。
【請求項３】
請求項１または２において、
前記ブレーキマーカーフットレスト（２０）は前記フロアマット（１０）に対して着脱可能であることを特徴とするブレーキマーカーフットレスト付きフロアマット。
【請求項４】
アクセルペダル（１）とブレーキペダル（２）とを有する自動車のフロア（４）またはフロアマット（１０）に着脱可能に設置されるフットレストであって、
自動車の前後方向に関し、前記ブレーキペダル（２）の後方に設置され、運転者の右足（Ｆ）と触れることでブレーキペダル位置の指標となるとともに、右足（Ｆ）の踵（Ｆ１）を載せた状態で足先部分（Ｆ２）でのブレーキ操作を可能とするブレーキマーカーフットレスト。
【発明の詳細な説明】
【技術分野】
【０００１】
本発明は、ブレーキマーカーフットレスト付きフロアマットおよびブレーキマーカーフットレストに関するものである。より詳しくは、オートマチック車のブレーキペダルとアクセルペダルの踏み間違えを防止するための、ブレーキペダルの位置を認識させるブレーキマーカーフットレストを備えたフロアマット、およびブレーキマーカーフットレストに関するものである。
【背景技術】
【０００２】
従来、オートマチック車のブレーキペダルとアクセルペダルの踏み間違えによる事故を防止するために、次のような技術が提案されている。
【０００３】
特許文献１には、自動車を運転中に、目視でなくても左足を置く位置が分かるように左足の靴底の輪郭の一部を盛り上げた自動車の運転席のフロアマットが開示されている。
【０００４】
しかし、このものは盛り上げ部に置いた左足との距離感でブレーキ位置を認識させようとするものであるので、ブレーキ位置を直接認識させることが出来ないという難点を有している。
【０００５】
特許文献２には、アクセルペダル１とブレーキペダル２をハンドル５に対して左右に振り分けて配置した技術が開示されている。
【０００６】
しかし、この技術では、ペダルの位置を大幅に変更する改造が必要になる。
【０００７】
特許文献３には、より使い勝手のよいアクセルペダルを操作する側のフットレストを提供することを目的とし、足の外側の踝を保持する保持部を有するフットレスト１が開示されている。
【０００８】
しかし、このフットレスト１は、疲労低減を目的としており、ブレーキペダル位置を認識させるものではない。
【０００９】
特許文献４、特許文献５には、フットレスト２を所望の位置に容易に取り付けることができ、常に楽な姿勢でフットレストに足を乗せることができるようにしたフットレスト付マットが開示されている。
【００１０】
しかし、このフットレス付きマットは、ブレーキペダルとの関係については全く考慮されていない。
しかも、同文献それぞれの図２に示されるように、フットレスト２は、足Ｆを楽な姿勢で乗せることができるようにしたものであるため、足載せ面（７，５）は足Ｆよりも大きい。
したがって、仮に、このフットレストを、ブレーキペダルの位置を認識させる目的で用いた場合には、足Ｆによるブレーキ操作が阻害されるおそれがある。
【先行技術文献】
【特許文献】
【００１１】
【特許文献１】実用新案登録第3182432号公報
【特許文献２】特開2002-308075号公報
【特許文献３】特開2009-090728号公報
【特許文献４】実開平06-008069号公報
【特許文献５】実開平06-008070号公報
【発明の概要】
【発明が解決しようとする課題】
【００１２】
本発明が解決しようとする課題は、ブレーキペダルの位置を認識させるブレーキマーカーフットレストを備えたフロアマット、およびブレーキマーカーフットレストを提供することである。
【課題を解決するための手段】
【００１３】
上記課題を解決するために本発明のブレーキマーカーフットレスト付きフロアマットは、
アクセルペダルとブレーキペダルとを有する自動車のフロアに設置されるフロアマットであって、
自動車の前後方向に関し、前記ブレーキペダルの後方に、運転者の右足と触れることでブレーキペダル位置の指標となるとともに、右足の踵を載せた状態で足先部分でのブレーキ操作を可能とするブレーキマーカーフットレストが設けられていることを特徴とする。
【００１４】
このブレーキマーカーフットレスト付きフロアマットによれば、運転者は、右足、特に右足の踵でブレーキマーカーフットレストに触れることで、このブレーキマーカーフットレストを指標としてブレーキペダルの位置を認識することができ、そのブレーキマーカーフットレストに右足の踵を載せた状態で足先部分を前方へ踏み込むことでブレーキ操作を行うことができる。
つまり、運転者は、ブレーキマーカーフットレストに触れて（踵を載せて）ブレーキペダルの位置を認識した状態でブレーキ操作を行うこととなるので、ブレーキペダルとアクセルペダルの踏み間違えが生じ難くなる。
【００１５】
このブレーキマーカーフットレスト付きフロアマットにおいては、
左右方向に関し、前記ブレーキマーカーフットレストの幅は、前記ブレーキペダルの幅よりも狭い構成とすることができる。
このように構成すると、ブレーキマーカーフットレストに踵を載せた右足の足先部分を、より正確にブレーキペダルに向けさせることができる。
【００１６】
このブレーキマーカーフットレスト付きフロアマットにおいては、
前記ブレーキマーカーフットレストは前記フロアマットに対して着脱可能である構成とすることができる。
このように構成すると、必要に応じてブレーキマーカーフットレストを着脱することができるとともに、運転者の足の大きさに応じて、適正な位置にブレーキマーカーフットレストを設けることができる。
【００１７】
また、上記課題を解決するために本発明のブレーキマーカーフットレストは、
アクセルペダルとブレーキペダルとを有する自動車のフロアまたはフロアマットに着脱可能に設置されるフットレストであって、
自動車の前後方向に関し、前記ブレーキペダルの後方に設置され、運転者の右足と触れることでブレーキペダル位置の指標となるとともに、右足の踵を載せた状態で足先部分でのブレーキ操作を可能とするものである。
【００１８】
このブレーキマーカーフットレストは、自動車のフロアまたはフロアマットに設置して使用する。
運転者は、右足、特に右足の踵でブレーキマーカーフットレストに触れることで、このブレーキマーカーフットレストを指標としてブレーキペダルの位置を認識することができ、そのブレーキマーカーフットレストに右足の踵を載せた状態で足先部分を前方へ踏み込むことでブレーキ操作を行うことができる。
つまり、運転者は、ブレーキマーカーフットレストに触れて（踵を載せて）ブレーキペダルの位置を認識した状態でブレーキ操作を行うこととなるので、ブレーキペダルとアクセルペダルの踏み間違えが生じ難くなる。
【図面の簡単な説明】
【００１９】
【図１】本発明に係るブレーキマーカーフットレスト付きフロアマットの実施の形態およびその使用例を示す図で、（ａ）は部分省略平面図、（ｂ）は部分省略正面図。
【図２】本発明に係るブレーキマーカーフットレストの実施の形態を示す図で、（ａ）は平面図、（ｂ）は正面図。
【発明を実施するための形態】
【００２０】
以下、本発明に係るブレーキマーカーフットレスト付きフロアマットおよびブレーキマーカーフットレストの実施の形態について図面を参照して説明する。なお、各図において、同一部分ないし相当する部分には、同一の符号を付してある。
【００２１】
図１に示すように、この実施の形態のブレーキマーカーフットレスト付きフロアマット１０は、アクセルペダル１とブレーキペダル２とを有する自動車のフロア４に設置されるフロアマットである。
【００２２】
このフロアマット１０には、自動車の前後方向に関し、ブレーキペダル２の後方に、運転者の右足（図では靴を描いてある。以下同じ）Ｆと触れることでブレーキペダル位置の指標となるとともに、右足Ｆの踵Ｆ１を載せた状態で足先部分Ｆ２でのブレーキ操作を可能とするブレーキマーカーフットレスト２０が設けられている。
なお、図１（ａ）において、３は、運転者の左足ＬＦを置くことができる左足用のフットレストである。
【００２３】
このブレーキマーカーフットレスト付きフロアマット１０によれば、運転者は、右足Ｆ、特に右足Ｆの踵Ｆ１でブレーキマーカーフットレスト２０に触れることで、このブレーキマーカーフットレスト２０を指標としてブレーキペダル２の位置を認識することができ、そのブレーキマーカーフットレスト２０に右足Ｆの踵Ｆ１を載せた状態で足先部分Ｆ２を前方へ踏み込むことでブレーキ操作を行うことができる。
【００２４】
つまり、運転者は、ブレーキマーカーフットレスト２０に触れて（踵Ｆ１を載せて）ブレーキペダル２の位置を認識した状態でブレーキ操作を行うこととなるので、ブレーキペダル２とアクセルペダル１の踏み間違えが生じ難くなる。
【００２５】
左右方向に関し、ブレーキマーカーフットレスト２０の幅Ｗ１は、ブレーキペダル２の幅Ｗ２よりも狭くなっている。
このように構成すると、ブレーキマーカーフットレスト２０に踵Ｆ１を載せた右足Ｆの足先部分Ｆ２を、より正確にブレーキペダル２に向けさせることができる。
【００２６】
ブレーキマーカーフットレスト２０は、フロアマット１０に対して着脱可能である。
このように構成すると、必要に応じてブレーキマーカーフットレスト２０を着脱することができるとともに、運転者の足Ｆの大きさに応じて、適正な位置にブレーキマーカーフットレスト２０を設けることができる。
【００２７】
上述したように、ブレーキマーカーフットレスト２０は、フロアマット１０に着脱可能に設置されるが、自動車のフロア４に対して着脱可能に設置することも可能である。そのように構成しても、上述した作用効果を得ることができる。
【００２８】
ブレーキマーカーフットレスト２０は、公知の適宜の材料で構成することができる。例えば、ゴム、合成樹脂、金属等で構成することができる。
【００２９】
ブレーキマーカーフットレスト２０の形状や大きさは、運転者の右足Ｆと触れることでブレーキペダル位置の指標となるとともに、右足Ｆの踵Ｆ１を載せた状態で足先部分Ｆ２でのブレーキ操作を可能とする形状、大きさであれば、適宜の形状、大きさを採用し得る。
【００３０】
この実施の形態のブレーキマーカーフットレスト２０は、平面視矩形、正面視三角形のくさび形形状とし、踵Ｆ１を載せる面２１を傾斜面とした。
【００３１】
この実施の形態のブレーキマーカーフットレスト２０の寸法は例えば次の範囲で設定することができる。
幅Ｗ１＝５０ｍｍ〜１００ｍｍ
長さＬ１＝７０ｍｍ〜１１０ｍｍ
高さＨ１＝３０ｍｍ〜  ５０ｍｍ
傾斜面２１の傾斜角θ１＝２５度〜３５度
【００３２】
幅Ｗ１は、広すぎると、運転者にブレーキペダル２の位置を認識させる指標としての役割を果たさなくなる。逆に、狭すぎると、運転者の右足Ｆと触れにくくなるとともに、右足Ｆの踵Ｆ１を載せにくくなる。
したがって、幅Ｗ１は上記の範囲とするのが望ましい。
【００３３】
長さＬ１は、長すぎると邪魔になるおそれがある。逆に、短すぎると、運転者の右足Ｆと触れにくくなるとともに、右足Ｆの踵Ｆ１を載せにくくなる。
したがって、長さＬ１は上記の範囲とするのが望ましい。
【００３４】
高さＨ１は、高すぎるとブレーキ操作を行いにくくなる。逆に低すぎると、運転者の右足Ｆと触れにくくなるとともに、右足Ｆの踵Ｆ１を載せにくくなる。
したがって、高さＨ１は上記の範囲とするのが望ましい。
【００３５】
傾斜面２１の傾斜角θ１は、小さすぎると、運転者の右足Ｆと触れにくくなるとともに、右足Ｆの踵Ｆ１を載せにくくなる。逆に、大きすぎても、右足Ｆの踵Ｆ１を載せにくくなる。
したがって、傾斜角θ１は上記の範囲とするのが望ましい。
【００３６】
図示のブレーキマーカーフットレスト２０の寸法は、次のようになっている。
幅Ｗ１＝約８０ｍｍ
長さＬ１＝約１００ｍｍ
高さＨ１＝約４０ｍｍ
傾斜面２１の傾斜角θ１＝約３０度
【００３７】
図２に示すように、この実施の形態のブレーキマーカーフットレスト２０は、フットレスト本体２２と、このフットレスト本体２２の下面に固定された取付部材２３とを有している。
取付部材２３は、取付対象であるフロアマット１０やフロア４の材質に応じて、適宜選択できる。
例えば、両面テープや面ファスナーを採用することができる。フロアマットがパイル生地等であれば面ファスナーで簡単に装着出来る。また、面ファスナーが使えない生地等は布専用両面テープでも装着出来る。
また、ブレーキマーカーフットレスト２０（あるいはフットレスト本体２２）は、フロアマット１０やフロア４の材質に応じて、タッピングスクリュー等で固定することも出来る。
【００３８】
傾斜面２１には、滑り止めをなす、左右方向へ延びる線状突起が設けられている。
傾斜面２１は本体２２と別部材で構成して貼付するようにすることもできるし、一体成型にて構成することもできる。
【００３９】
ブレーキペダル２とブレーキマーカーフットレスト２０との間隔Ｌ２（図１参照）は、運転者が、ブレーキマーカーフットレスト２０に右足Ｆの踵Ｆ１を載せた状態で足先部分Ｆ２でブレーキ操作をできる範囲内において、運転者の足の大きさや好みに応じて適宜設定することができる。
【００４０】
ブレーキマーカーフットレスト２０の着脱および設置は、運転者自身によって行うことができる。ブレーキマーカーフットレスト２０の設置可能領域Ａ（図１（ａ）参照）は、前記取付部材２３による取り付けが可能な面状態とする。例えば、取付部材２３を両面テープとする場合には、接着しやすい円滑面とし、面ファスナーとする場合には、面ファスナーのフック（またはループ）が結合しやすいループ（またはフック）を有する面とすることが望ましい。
【００４１】
以上、本発明の実施の形態について説明したが、本発明は上記の実施の形態に限定されるものではなく、本発明の要旨の範囲内において適宜変形実施可能である。
【符号の説明】
【００４２】
Ｆ：    右足
Ｆ１：    踵
Ｆ２：    足先部分
１：    アクセルペダル
２：    ブレーキペダル
４：    フロア
１０：    ブレーキマーカーフットレスト付きフロアマット
２０：    ブレーキマーカーフットレスト
【図１】
2020055466.tif 000003
【図２】
2020055466.tif 000004
【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
アクセルペダル（１）とブレーキペダル（２）とを有する自動車のフロア（４）に設置されるフロアマットであって、
自動車の前後方向に関し、前記ブレーキペダル（２）の後方に、運転者の右足（Ｆ）と触れることでブレーキペダル位置の指標となるとともに、右足（Ｆ）の踵（Ｆ１）を載せた状態で足先部分（Ｆ２）でのブレーキ操作を可能とするブレーキマーカーフットレスト（２０）が設けられ、
このブレーキマーカーフットレスト（２０）は、平面視矩形、正面視三角形のくさび形形状で、踵（Ｆ１）を載せる面（２１）が自動車の後方から前方に向かって上向き傾斜となる傾斜面（２１）であり、
かつ、このブレーキマーカーフットレスト（２０）の幅をＷ１、長さをＬ１、高さをＨ１、傾斜面（２１）の上向き傾斜角をθ１としたとき、
幅Ｗ１＝５０ｍｍ〜１００ｍｍ
長さＬ１＝７０ｍｍ〜１１０ｍｍ
高さＨ１＝３０ｍｍ〜  ５０ｍｍ
傾斜面２１の傾斜角θ１＝２５度〜３５度
となっていることを特徴とするブレーキマーカーフットレスト付きフロアマット。
【請求項２】
請求項１において、
左右方向に関し、前記ブレーキマーカーフットレスト（２０）の幅（Ｗ１）は、前記ブレーキペダル（２）の幅（Ｗ２）よりも狭いことを特徴とするブレーキマーカーフットレスト付きフロアマット。
【請求項３】
請求項１または２において、
前記ブレーキマーカーフットレスト（２０）は前記フロアマット（１０）に対して着脱可能であることを特徴とするブレーキマーカーフットレスト付きフロアマット。
【請求項４】
アクセルペダル（１）とブレーキペダル（２）とを有する自動車のフロア（４）またはフロアマット（１０）に着脱可能に設置されるフットレストであって、
自動車の前後方向に関し、前記ブレーキペダル（２）の後方に設置され、運転者の右足（Ｆ）と触れることでブレーキペダル位置の指標となるとともに、右足（Ｆ）の踵（Ｆ１）を載せた状態で足先部分（Ｆ２）でのブレーキ操作を可能とする、
平面視矩形、正面視三角形のくさび形形状で、踵（Ｆ１）を載せる面（２１）が自動車の後方から前方に向かって上向き傾斜となる傾斜面（２１）のフットレストであり、
かつ、幅をＷ１、長さをＬ１、高さをＨ１、傾斜面（２１）の上向き傾斜角をθ１としたとき、
幅Ｗ１＝５０ｍｍ〜１００ｍｍ
長さＬ１＝７０ｍｍ〜１１０ｍｍ
高さＨ１＝３０ｍｍ〜  ５０ｍｍ
傾斜面２１の傾斜角θ１＝２５度〜３５度
となっていることを特徴とするブレーキマーカーフットレスト。
【手続補正２】
【補正対象書類名】明細書
【補正対象項目名】００１３
【補正方法】変更
【補正の内容】
【００１３】
上記課題を解決するために本発明のブレーキマーカーフットレスト付きフロアマットは、
アクセルペダルとブレーキペダルとを有する自動車のフロアに設置されるフロアマットであって、
自動車の前後方向に関し、前記ブレーキペダルの後方に、運転者の右足と触れることでブレーキペダル位置の指標となるとともに、右足の踵を載せた状態で足先部分でのブレーキ操作を可能とするブレーキマーカーフットレストが設けられ、
このブレーキマーカーフットレストは、平面視矩形、正面視三角形のくさび形形状で、踵を載せる面が自動車の後方から前方に向かって上向き傾斜となる傾斜面であり、
かつ、このブレーキマーカーフットレストの幅をＷ１、長さをＬ１、高さをＨ１、傾斜面の上向き傾斜角をθ１としたとき、
幅Ｗ１＝５０ｍｍ〜１００ｍｍ
長さＬ１＝７０ｍｍ〜１１０ｍｍ
高さＨ１＝３０ｍｍ〜  ５０ｍｍ
傾斜面の傾斜角θ１＝２５度〜３５度
となっていることを特徴とする。
【手続補正３】
【補正対象書類名】明細書
【補正対象項目名】００１７
【補正方法】変更
【補正の内容】
【００１７】
また、上記課題を解決するために本発明のブレーキマーカーフットレストは、
アクセルペダルとブレーキペダルとを有する自動車のフロアまたはフロアマットに着脱可能に設置されるフットレストであって、
自動車の前後方向に関し、前記ブレーキペダルの後方に設置され、運転者の右足と触れることでブレーキペダル位置の指標となるとともに、右足の踵を載せた状態で足先部分でのブレーキ操作を可能とする、
平面視矩形、正面視三角形のくさび形形状で、踵を載せる面が自動車の後方から前方に向かって上向き傾斜となる傾斜面のフットレストであり、
かつ、幅をＷ１、長さをＬ１、高さをＨ１、傾斜面（２１）の上向き傾斜角をθ１としたとき、
幅Ｗ１＝５０ｍｍ〜１００ｍｍ
長さＬ１＝７０ｍｍ〜１１０ｍｍ
高さＨ１＝３０ｍｍ〜  ５０ｍｍ
傾斜面の傾斜角θ１＝２５度〜３５度
となっていることを特徴とする。